(57)【要約】【課題】収納部本体を容易に板材に係止可能でありながら、取付け状態を安定的に保持可能な収納ボックスの取付構造及びキッチンキャビネットを提供する。【解決手段】本発明は、収納ボックスを板材（１０３）に取り付ける収納ボックスの取付構造であって、前記板材は、上被係止部（６）と下被係止部（７）とを備え、前記収納ボックスは、収納部本体（２Ａ）と、上係止部（８）と下係止部（９）とを備え、前記板材の前記上被係止部と前記下被係止部とは、外フック部または内フック部からなるフック部（６２，７２）を有し、前記収納部本体の前記上係止部と前記下係止部とは、前記板材の前記フック部に対応した、内受け部、または外受け部からなる受け部（８，９）を有し、前記収納ボックスは、前記フック部と前記受け部とで前記板材に係止可能に構成されていることを特徴とする。【選択図】図１０
2019115600.tif 000002
【特許請求の範囲】
【請求項１】
収納ボックスを板材に取り付ける収納ボックスの取付構造であって、
前記板材は、上被係止部と下被係止部とを備え、
前記収納ボックスは、収納部本体と、前記収納部本体に設けられる上係止部と下係止部とを備え、
前記板材の前記上被係止部と前記下被係止部とは、互いに離反する方向に曲折した外フック部または互いに近接する方向に曲折した内フック部からなるフック部を有し、
前記収納部本体の前記上係止部と前記下係止部とは、前記板材の前記フック部に対応した、互いに近接する方向に曲折した内受け部、または互いに離反する方向に曲折した外受け部からなる受け部を有し、
前記収納ボックスは、前記フック部と前記受け部とで前記板材に係止可能に構成されていることを特徴とする収納ボックスの取付構造。
【請求項２】
前記収納部本体に、上方に開口し、包丁が収容可能な包丁収容部を備える
請求項１に記載の収納ボックスの取付構造。
【請求項３】
前記フック部と前記受け部との係止を解除する解除部が、前記上被係止部、前記下被係止部、前記上係止部、及び前記下係止部のうちの少なくとも一つに、水平方向に隣接して設けられている
請求項１または請求項２に記載の収納ボックスの取付構造。
【請求項４】
前記上被係止部及び前記下被係止部が長尺なレール部材であり、
前記上被係止部及び前記下被係止部が前記板材に平行に配置され、
前記上被係止部または前記下被係止部の少なくとも一ヶ所に、前記フック部と前記受け部との係止を解除する解除部が設けられている
請求項１または請求項２に記載の収納ボックスの取付構造。
【請求項５】
前記受け部に弾性変形可能な係止爪を有する請求項１から請求項４のいずれか一項に記載の収納ボックスの取付構造。
【請求項６】
前記板材が設けられた収納部と、
前記収納ボックスと、を備え、
請求項１から請求項５のいずれか一項に記載の収納ボックスの取付構造により、前記収納ボックスが前記収納部の前記板材に着脱可能に取り付けられることを特徴とするキッチンキャビネット。
【発明の詳細な説明】
【技術分野】
【０００１】
本発明は、収納ボックスの取付構造及びキッチンキャビネットに関する。
【背景技術】
【０００２】
台所や洗面所等には、例えば、台所や洗面所で使用される物品が収納される収納部がシンクの下方に設けられたキャビネットが設置されている。例えば、特許文献１には、流し台やコンロ台を取り付け可能な天板の下方に引き出しが設けられ、引き出しの前板の背面に縦形ポケットが設けられている厨房家具が開示されている。特許文献１の縦形ポケットは、上方に開口し、しゃもじ、菜箸等、使用頻度が高く、長尺かつ自立しない物品を収容するように構成されている。この他、台所のキャビネットの収納部の前板裏面には、例えば、包丁を収納する包丁差しが設けられている。特許文献２には、台所に設置されるフロアキャビネットの扉の裏側に固定されたブラケットに包丁差しを着脱可能に係止する取付構造が開示されている。
【０００３】
台所や洗面所で使用される道具を収容する収納ボックスは、水を使用するスペースに設けられるために汚れやすい一方、清潔に保つことが望まれるため、清掃しやすい収納ボックスが望まれている。そこで、特許文献１及び特許文献２には、収納ボックスをキャビネットの収納部から着脱可能に取り付ける構造が開示されている。
【先行技術文献】
【特許文献】
【０００４】
【特許文献１】特許第４３６３８７６号公報
【特許文献２】特開２０１６−１３５１７８号公報
【発明の概要】
【発明が解決しようとする課題】
【０００５】
着脱可能な包丁差しの場合、包丁差しに収容されている包丁を上方に引き抜く際、包丁が包丁差しに引っ掛かり、包丁差しがブラケットから外れ、包丁と共に持ち上がることを防ぐ必要がある。そのため、特許文献２の包丁差しの取付構造では、ネジ部材を用いて包丁差しをブラケットに装着している。しかし、包丁差しの清掃時には、ネジ部材による固定解除及び再度ネジ固定する必要があり、使用者にとって手間がかかる。また、清掃の都度、ネジ部材の固定や固定解除を繰り返すため、ネジ部材の締結部周辺が劣化しやすく、耐久性の点で課題となっていた。
【０００６】
上記事情を踏まえ、本発明は、収納部本体を容易に板材に係止可能でありながら、取付け状態を安定的に保持可能な収納ボックスの取付構造及びこの収納ボックスの取付構造を備えるキッチンキャビネットを提供することを目的とする。
【課題を解決するための手段】
【０００７】
本発明に係る収納ボックスの取付構造は、収納ボックスを板材に取り付ける収納ボックスの取付構造であって、前記板材は、上被係止部と下被係止部とを備え、前記収納ボックスは、収納部本体と、前記収納部本体に設けられる上係止部と下係止部とを備え、前記板材の前記上被係止部と前記下被係止部とは、互いに離反する方向に曲折した外フック部または互いに近接する方向に曲折した内フック部からなるフック部を有し、前記収納部本体の前記上係止部と前記下係止部とは、前記板材の前記フック部に対応した、互いに近接する方向に曲折した内受け部、または互いに離反する方向に曲折した外受け部からなる受け部を有し、前記収納ボックスは、前記フック部と前記受け部とで前記板材に係止可能に構成されていることを特徴とする。
【０００８】
この発明によれば、板材に設けられる上被係止部及び下被係止部に、収納部本体の上係止部及び下係止部をそれぞれ係止して収納部本体を板材に係止する。このとき、板材側の上被係止部及び下被係止部が外フック部または内フック部からなるフック部を有し、収納部本体の上係止部及び下係止部は、フック部に対応して内受け部または外受け部からなる受け部を有するため、板材に係止された収納部本体の上下方向の位置が固定される。したがって、板材に係止された状態で収納部本体に上下方向の力が付与されても、収納部本体が板材から外れることを防止できる。その結果、収納部本体を容易に板材に係止可能でありながら、取付け状態を安定的に保持できる。
【０００９】
本発明に係る収納ボックスの取付構造では、前記収納部本体に、上方に開口し、包丁が収容可能な包丁収容部を備えていてもよい。
【００１０】
この発明によれば、板材に係止された収納ボックスの収納部本体の上下方向の位置が固定されるため、収納部本体に上方に開口し、包丁が収容可能な包丁収容部を備える場合に、特に好適である。具体的には、上方に開口する包丁収容部の場合、包丁収容部から包丁を出し入れする際に包丁が開口等に接触し、包丁収容部に上方向への力が掛かる場合がある。これに対し、この発明によれば、収納部本体が板材に係止された取付け状態が安定的に保持でき、安全性を確保できる。また、収納部本体が板材に固定されずに係止される構成であるため、板材から収納部本体を容易に着脱可能である。そのため、清潔に保つことが望まれる包丁収容部を容易に清掃できる。
【００１１】
本発明に係る収納ボックスの取付構造では、前記フック部と前記受け部との係止を解除する解除部が、前記上被係止部、前記下被係止部、前記上係止部、及び前記下係止部のうちの少なくとも一つに、水平方向に隣接して設けられていてもよい。
【００１２】
この発明によれば、解除部が上被係止部、下被係止部、上係止部、及び下係止部のうちの少なくとも一つに、水平方向に隣接して設けられているため、上下方向の移動が規制された状態で係止された収納部本体のフック部と受け部との係止を容易に解除できる。したがって、ネジ等の固定具を用いることなく収納部本体が安定的に係止され、且つ、板材から収納部本体を容易に取り外すことができる。
【００１３】
本発明に係る収納ボックスの取付構造では、前記上被係止部及び前記下被係止部が長尺なレール部材であり、前記上被係止部及び前記下被係止部が前記板材に平行に配置され、前記上被係止部または前記下被係止部の少なくとも一ヶ所に、前記フック部と前記受け部との係止を解除する解除部が設けられていてもよい。
【００１４】
この発明によれば、上被係止部及び下被係止部が長尺なレール部材であるため、収納部本体を取付可能な範囲を広く確保できる。したがって、収納部本体を被係止部に係止する際、係止位置の微調整を行うことなく容易に係止できる。また、収納部本体の取付位置をレール部材上の任意の位置に設定可能であり、用途に応じて収納部本体の板材への取付位置を設定できる。さらに、上被係止部または下被係止部の少なくとも一ヶ所に解除部が設けられているため、板材に係止された収納部本体をレール部材に沿ってスライドさせることによりフック部と受け部との係止を解除できる。その結果、使用者が難しい操作を行うことなく、収納部本体を板材に着脱できる。
【００１５】
本発明に係る収納ボックスの取付構造では、前記受け部に弾性変形可能な係止爪を有してもよい。
【００１６】
この発明によれば、受け部に弾性変形可能な係止爪を有するため、収納部本体を係止させる際、収納部本体の受け部をフック部に向かって正面から押し込むと、係止爪が弾性変形してフック部に受け部を容易に係止できる。したがって、使用者が難しい操作を行うことなく、収納部本体を板材に容易に係止できる。
【００１７】
本発明に係るキッチンキャビネットは、前記板材が設けられた収納部と、前記収納ボックスと、を備え、上記収納ボックスの取付構造により、前記収納ボックスが前記収納部の前記板材に着脱可能に取り付けられることを特徴とする。
【００１８】
この発明によれば、収納部本体を容易に板材に係止可能でありながら、取付け状態を安定的に保持可能なキッチンキャビネットを提供できる。したがって、収納ボックス使用時は板材に安定的に保持され、且つ、容易に取り外し可能であり、収納ボックスの清掃が容易となるキッチンキャビネットを提供できる。
【発明の効果】
【００１９】
本発明によれば、収納部本体を容易に板材に係止可能でありながら、取付け状態を安定的に保持可能な収納ボックスの取付構造及びこの収納ボックスの取付構造を備えるキッチンキャビネットを提供できる。
【図面の簡単な説明】
【００２０】
【図１】本発明の一実施形態に係るキッチンキャビネットの一例を示す斜視図である。
【図２】本発明の一実施形態に係る収納ボックスの取付構造の一例を示す斜視図である。
【図３】本発明の一実施形態の前板の一例を示す斜視図である。
【図４】本発明の一実施形態の収納部本体を示す斜視図である。
【図５】本発明の一実施形態の収納部本体を示す斜視図である。
【図６】本発明の一実施形態の包丁収容部を示す斜視図である。
【図７】本発明の一実施形態に係る収納ボックスの取付構造を示す分解斜視図である。
【図８】本発明の一実施形態に係る収納ボックスの取付構造を示す分解斜視図である。
【図９】本発明の一実施形態に係る収納ボックスの取付構造を示す側面図である。
【図１０】本発明の一実施形態に係る収納ボックスの取付構造を示す縦断面図である。
【図１１】本発明に係る収納ボックスの取付構造を示す模式図である。
【発明を実施するための形態】
【００２１】
以下、本発明の一実施形態に係る収納ボックスの取付構造について図面を用いて説明する。図１は、本実施形態に係る収納ボックス１の取付構造を備えるキッチンキャビネット１００の一例を示す斜視図である。図２は、本実施形態に係る収納ボックスの取付構造の一例を示す図であり、収納ボックス１がキッチンキャビネット１００の引き出し１０２の前板１０３に取り付けられた状態を示す斜視図である。
【００２２】
本発明に係る収納ボックス１は、台所で使用されるキッチンキャビネット１００の収納部に取り付けて使用される。キッチンキャビネット１００は、支持体となるキャビネット本体１０１と、キャビネット本体１０１上に設けられた天板１０４及びシンク１０５と、キャビネット本体１０１の側面に設けられた抽斗（収納部）１０２とを備える。キッチンキャビネット１００には、この他、不図示の水栓や加熱器具が適宜設けられる。
【００２３】
以下の説明において、キッチンキャビネット１００を使用する使用者がシンク１０５と向き合ったときの左右方向を幅方向と称する。キッチンキャビネット１００が設置される床面Ｆに直交する方向を上下方向と適宜称する。また、上記幅方向及び上下方向と直交する方向を奥行方向と称し、使用者側を手前側、反対側を奥側と称する。
【００２４】
キャビネット本体１０１には、複数のレールを備える公知のレールユニット１０７が取り付けられている。抽斗１０２は、レールユニット１０７を介してキャビネット本体１０１の側方に出し入れ可能に設けられ、上側から物品を収納可能に構成されている。抽斗１０２には前板（板材）１０３が設けられている。
【００２５】
図２に示すように、シンク１０５の下方に設けられた抽斗１０２内には、前板１０３の裏面側に、収納ボックス１Ａが取り付けられている。前板１０３の裏面には、上レール部材（上被係止部）６及び下レール部材（下被係止部）７の二本のレール部材が上下に平行に並んで固定されている。収納ボックス１は、二本のレール部材６，７を介して前板１０３に着脱可能に取り付けられる。
【００２６】
上レール部材６及び下レール部材７はフック部を有する。フック部は、互いに離反する方向に曲折した外フック部または互いに近接する方向に曲折した内フック部からなる。図１１に本発明に係る収納ボックスの取付構造における前板１０３と収納ボックス１と係止関係を模式的に示す。図１１の（Ａ）に外フック部ＦＯの態様を模式的に示し、（Ｂ）に内フック部ＦＩの態様を模式的に示す。
【００２７】
図１１の（Ａ）に示すように、外フック部ＦＯは、上被係止部６に備える上フック部６２が上方に延び、下被係止部７に備える下フック部７２が下方に延び、上フック部６２と下フック部７２とが互いに離反する方向に曲折して設けられている。この場合、収納ボックス１の上部及び下部に設けられる受け部８，９は、互いに近接する方向に曲折した内受け部ＲＩを有する。つまり、収納ボックス１Ａに設けられる２つの受け部８，９は、上部の受け部８が下方に延び、下部の受け部９が上方に延びて形成される。
【００２８】
図１１の（Ｂ）に示すように、内フック部ＦＩは、上被係止部６に備える上フック部６２が下方に延び、下被係止部７に備える下フック部７２が上方に延び、上フック部６２と下フック部７２とが互いに近接する方向に曲折して設けられている。この場合、収納ボックス１の上部及び下部に設けられる受け部８，９は、互いに離反する方向に曲折した外受け部ＲＯを有する。つまり、収納ボックス１に設けられる２つの受け部８，９は、上部の受け部８が上方に延び、下部の受け部９が下方に延びて形成される。
【００２９】
外フック部ＦＯと内受け部ＲＩ、及び内フック部ＦＩと外受け部ＲＯのいずれの場合でも、上フック部６２と前板１０３との間の隙間、及び下フック部７２と前板１０３との間の隙間に、収納ボックス１Ａに設けられる受け部８，９が挿入されて収納ボックス１が前板１０３に係止される。この結果、収納ボックス１は、前板１０３に係止された状態では、上下方向の移動が規制されて保持される。
【００３０】
フック部６２，７２と受け部８，９との係止及び係止解除させる態様については、上フック部６２、下フック部７２、上受け部８、及び下受け部９のうちの少なくとも一つに水平方向に隣接して設けられる解除部を設ける構成が考えられる。解除部は、フック部６２，７２または受け部８，９が設けられない領域を設ければよい。または、上フック部６２、下フック部７２、上受け部８、及び下受け部９のうちの少なくとも一つに弾性変形可能な係止爪を設けて係止関係を解除する構成が考えられる。
【００３１】
本実施形態では、前板１０３側のレール部材６，７に外フック部ＦＯを備え、収納ボックス１Ａの受け部８，９に内受け部ＲＩを備える構成を例に説明する。
【００３２】
図３に示すように、上レール部材６は、固定部６１と上フック部６２とを備える。固定部６１は、平板形状であり前板１０３に固定されている。上フック部６２は、固定部６１から奥側に突出して上方に延びて形成されている。上レール部材６は、固定部６１と上フック部６２とが幅方向に沿って延びる長尺部材である。
【００３３】
下レール部材７は、固定部７１と下フック部７２とを備える。固定部７１は、平板形状であり前板１０３に固定されている。下フック部７２は、固定部７１から奥側に突出して下方に延びて形成されている。下レール部材７は、固定部７１と下フック部７２とが幅方向に沿って延びる長尺部材である。
【００３４】
上レール部材６の上フック部６２と下レール部材７の下フック部７２とは、互いに離反する方向に曲折した外フック部ＦＯを構成する。
【００３５】
図３に示すように、下レール部材７には、下フック部７２が厚さ方向に貫通するように切り欠いて形成された凹部（解除部）７３が形成されている。本実施形態では、下フック部７２に２つの凹部７３，７３が離間して形成されている。
【００３６】
収納ボックス１Ａは、上方に開口し、長尺な各種調理器具等の物品を収納可能な略直方体形状の箱体である。収納ボックス１Ａは、収納部本体２Ａと、底部材３Ａと、包丁収容部５Ａとを備える。
【００３７】
図４及び図５は、本実施形態の収納部本体２Ａを示す斜視図である。図４及び図５に示すように、収納部本体２Ａは平面視で幅方向に長い形状を有し、幅方向に配置される二つの長辺側面２３１Ａ，２３２Ａと、長辺側面２３１Ａ，２３２Ａの端部から交差する方向に延びる二つの短辺側面２４Ａ，２４Ａとを備える。二つの長辺側面２３１Ａ，２３２Ａのうち、手前側に配置される長辺側面２３１Ａが抽斗１０２の前板１０３と対向するように配置される。
【００３８】
収納部本体２Ａは、上方及び下方に開口した矩形の筒状部材である。収納部本体２Ａの上部は、手前側の長辺側面２３１Ａから奥側の長辺側面２３２Ａに向かって下降するように傾斜した開口部２１Ａを有する。手前側の長辺側面２３１Ａは、奥側の長辺側面２３２Ａの下端よりも下端位置が低くなるように設けられている。収納部本体２Ａの下部の開口部２８Ａには、収納部本体２Ａの４つの側面２３１Ａ，２３２Ａ，２４Ａ，２４Ａの下端部からそれぞれ曲折して開口部２８Ａ側に延びる開口縁部２６Ａが形成されている。２つの長辺側面２３１Ａ，２３２Ａとの境界部近傍の開口縁部２６Ａには、上下方向に貫通する係止孔（凹部）２７Ａが４か所形成されている。
奥側の長辺側面２３２Ａは、奥行方向に開口する２つの開口窓２９，２９を備える。
【００３９】
収納部本体２Ａの手前側の長辺側面２３１Ａ及び短辺側面２４Ａ，２４Ａの各内面２２Ａの一部には、補助支持部３０が設けられている。補助支持部３０は、後述する包丁収容部５Ａが当接可能に、内側に突出して形成された平板部である。長辺側面２３１Ａに位置する補助支持部３０の上端部には、上方に開口して幅方向に延びる係止溝３０１，３０１が形成されている。係止溝３０１，３０１は、幅方向に離間して２か所設けられている。
【００４０】
短辺側面２４Ａ，２４Ａの上部の手前側には幅方向に貫通する係合孔２４１，２４１が形成されている。
【００４１】
図５に示すように、収納部本体２Ａの手前側の長辺側面２３１Ａの上端部には、外側（手前側）に突出し、下方に延びる上係止部（受け部、内受け部）８が形成されている。本実施形態では、上係止部８は、収納部本体２Ａの幅方向に離間して３か所形成されている。
【００４２】
収納部本体２Ａの手前側の長辺側面２３１Ａの下端部には、外側（手前側）に突出し、上方に延びる下係止部（受け部、内受け部）９が形成されている。下係止部９は、係止爪を有する。係止爪は、長辺側面２３１Ａの下端から水平方向外側に延びる平板片９１と、平板片９１の外側端部の上面から上方に突出して形成された下係止片９２とからなる。下係止片９２は、縦断面形状が略直角三角形状であり、平板片９１の手前側端部から奥側に向かって高くなるように傾斜する傾斜面９２ａを有する。
【００４３】
平板片９１には、長辺側面２３１Ａと下係止片９２との間に上下方向に貫通する貫通孔９４が形成されている。平板片９１は、貫通孔９４が形成されることにより、弾性率が高く撓みやすいように構成されている。下係止部９の幅方向両側には、長辺側面２３１Ａの下端から水平方向外側に延びる２つの支持板９３，９３が形成されている。
【００４４】
本実施形態では、下係止部９は、収納部本体２Ａの幅方向に離間して２か所形成されている。幅方向において、下係止部９は上係止部８の幅方向の位置と異なる位置に設けられている。下係止部９は、収納部本体２Ａの幅方向の中央部に１か所形成される構成であってもよい。
【００４５】
収納部本体２Ａの奥行方向の寸法は、上部の内寸が下部の内寸より大きくなるように長辺側面２３１Ａ，２３２Ａが僅かに傾斜している。
【００４６】
図６は、本実施形態の包丁収容部５Ａ及び底部材３Ａを示す斜視図である。図６に示すように、包丁収容部５Ａの下部が底部材３Ａの底面部４Ａに一体に形成されている。底部材３Ａは、収納部本体２Ａと別体で形成され、収納部本体２Ａの下部に着脱可能に取り付けられる部材である。底部材３Ａは、収納部本体２Ａの底面を構成する底面部４Ａを有する。底面部４Ａは、幅方向に長い板状に形成されており、収納部本体２Ａの下部の開口部２８Ａに配置されて収納部本体２Ａの底面を構成する。包丁収容部５Ａは、底部材３Ａの奥行方向の中間部よりも手前側に設けられている。
【００４７】
底部材３Ａは、手前側と奥側とで底面部４Ａの形状が異なる。手前側の底面部４Ａは、包丁収容部５Ａの下方に位置し、幅方向両側より中央部の高さが低い位置に配置されており段差が形成されている。
【００４８】
図６及び図１０に示すように、奥側の底面部４Ａは、平板状に形成されており水平方向に対して傾斜する傾斜面４１Ａが形成されている。傾斜面４１Ａは、手前側から奥側に向かって下降するように傾斜している。傾斜面４１Ａには、奥行方向に延びる複数のリブ４２Ａが形成されている。底面部４Ａの奥側の端部には、下方に突出する突起部３１Ａが合計３か所形成されている。
【００４９】
包丁収容部５Ａは、底部材３Ａの奥行方向中央部の手前側の上方に立設されている。包丁収容部５Ａは、立体形状を有し、包丁収容部本体５００と、パン切用ナイフ収納部５０２と、長物収納部５１０とを備える。包丁収容部本体５００は、複数の包丁の収納部である。パン切用ナイフ収納部５０２は、パン切用ナイフ等、長尺な包丁を挿入する収納部である。長物収納部５１０は、上方に開口し、長尺な物品を収納可能な収納部である。
【００５０】
包丁収容部本体５００は、包丁収容部５Ａの手前側の領域の上部に、包丁収容部５Ａの幅方向の略全域にわたって設けられている。包丁収容部本体５００の奥側に隣接し、幅方向の一方にパン切用ナイフ収納部５０２が設けられている。包丁収容部５Ａの奥側の領域にはパン切用ナイフ収納部５０２及び長物収納部５１０が幅方向に隣接して設けられている。
【００５１】
包丁収容部本体５００は、幅方向に長い略直方体形状を有している。包丁収容部本体５００は、包丁収容部本体５００の上面に設けられる上面板５０９に上下方向に貫通して開口する複数の包丁挿入口５０１が形成されている。各包丁挿入口５０１の縁部上方には、包丁２００の柄を支持する柄支持部５０５が設けられている。各包丁挿入口５０１の下方には包丁２００の刃が収納可能な収納スペースが形成されている。
【００５２】
包丁収容部本体５００には包丁ロック機構を備える。図６及び図１０に示すように、包丁ロック機構は、一枚のロック板５０３と、スライダ５０４とを備える。ロック板５０３は、包丁収容部本体５００の上面板５０９の下方に近接配置され、上面板５０９に沿ってスライド可能に設けられている。スライダ５０４は、ロック板５０３の幅方向端部において、上方に向かって突出して形成されている。ロック板５０３は、上面板５０９の面積よりも小さく、各包丁挿入口５０１に対応する位置に、包丁挿入口５０１の位置及び形状に対応して上下方向に貫通する貫通孔５０３１が複数形成されている。
【００５３】
包丁収容部本体５００の上面板５０９には、複数の包丁挿入口５０１の他に開口部５０１１を備える。開口部５０１１の下方からスライダ５０４が挿入され、スライダ５０４が上方に突出して配置される。スライダ５０４を開口部５０１１に沿って幅方向にスライドさせるとロック板５０３が上面板５０９に対して幅方向に移動する。ロック板５０３のスライド移動に伴って、包丁挿入口５０１の開口幅が全開状態と部分開放状態とに変化する。スライダ５０４を開口部５０１１の一方の端部側に配置すると、ロック板５０３が移動して包丁挿入口５０１が全開状態となり、包丁２００が挿入可能となる。スライダ５０４を開口部５０１１の他方の端部側に配置すると、包丁挿入口５０１が部分開放状態となる。全開状態で包丁２００を挿入した後にスライダ５０４をスライド移動させると、包丁挿入口５０１では、柄のみが露出し、包丁２００の刃はロック板５０３の下方に位置して覆われる。この状態で包丁２００に上方へ引き上げる力が加わっても、刃がロック板５０３に当接して上方に引き上げられず、包丁２００が収納状態で保持される。
【００５４】
このように、包丁収容部５Ａに包丁ロック機構を備えると、例えば、子供が抽斗１０２を開けて包丁収容部５Ａに収納されている包丁２００の柄を触っても、包丁２００が包丁挿入口５０１から引き出されることを防ぐことができる。
【００５５】
包丁収容部本体５００の幅方向両側の側面壁５０８には、Ｕ字型のスリット５０８１が形成され、スリット５０８１で囲まれた部分は外力が付与されると撓む弾性片５０８２となる。弾性片５０８２の上端部には、係合ボタン５０７が設けられている。係合ボタン５０７は、側面壁５０８から幅方向外側に突出している。
【００５６】
パン切用ナイフ収納部５０２は、上面に包丁収容部本体５００と同様に包丁挿入口５０１及び柄支持部５０５ａが設けられている。包丁挿入口５０１の下方は周囲が壁部で囲まれた収納スペースが形成されている。パン切用ナイフ収納部５０２は、その他の料理用の包丁２００よりも長尺な包丁を水平方向に対して傾斜させて収納する。図６に示すように、パン切用ナイフ収納部５０２の柄支持部５０５ａは、奥行方向から見ると略三角形状の平板である。柄支持部５０５ａの傾斜部にパン切用ナイフ等、長尺な包丁の柄を当接させて、包丁が斜めに挿入された状態を保持するように構成されている。
【００５７】
長物収納部５１０は、パン切用ナイフ収納部５０２と連設され、上面に開口が形成されて、上下方向に長い収納スペースＳ５１０が形成されている。
【００５８】
次に、収納ボックス１の抽斗１０２の前板１０３に対する取付構造について図７から図１０を参照して説明する。図７及び図８は、本実施形態に係る収納ボックス１Ａの取付構造を示す分解斜視図である。図９は、本実施形態に係る収納ボックス１Ａの取付構造を示す側面図である。図１０は、本実施形態に係る収納ボックス１Ａの取付構造を示す縦断面図である。
【００５９】
収納部本体２Ａは、上レール部材６及び下レール部材７を介して前板１０３に着脱可能に取り付けられる。収納部本体２Ａは、上レール部材６の上方から上レール部材６に係止されている。図１０に示すように、収納部本体２Ａの上係止部８が上レール部材６の上フック部６２に係止され、下係止部９の係止爪９２が下レール部材７の下フック部７２に係止されている。この構成により、収納部本体２Ａは、上レール部材６で上部が係止され、収納部本体２Ａの下部が下レール部材７で係止される。平板片９１及び支持板９３,９３が下レール部材７の下フック部７２の下端に当接する。そのため、支持板９３,９３により、収納部本体２Ａの取付時に平板片９１が下方に撓むことを防いでいる。この結果、収納部本体２Ａの長辺側面２３１Ａの下端部が下レール部材７に係止した状態を安定的に保持できる。
【００６０】
底部材３Ａ及び包丁収容部５Ａは、収納部本体２Ａの収納スペースＳ１Ａ内に配置されている。底部材３Ａの底面部４Ａが収納部本体２Ａの下部の開口部２８Ａを塞ぐように、底部材３Ａが収納部本体２Ａ内に配置され、底面部４Ａの各突起部３１Ａが収納部本体２Ａの下部の係止孔２７Ａに挿通されて係止される。また、補助支持部３０の係止溝３０１内に、図６に示す包丁収容部本体５００の手前側の側壁の下端部５０６が挿入されることにより、包丁収容部５Ａが収納部本体２Ａに係止される。この結果、底部材３Ａ及び包丁収容部５Ａが収納部本体２Ａ内でがたつくことを防ぎ、底部材３Ａ及び包丁収容部５Ａが安定した状態で係止される。
【００６１】
さらに、弾性片５０８２が撓み包丁収容部５Ａの各係合ボタン５０７が収納部本体２Ａの各短辺側面２４Ａの上部に形成された各係合孔２４１に係合し、包丁収容部５Ａが収納部本体２Ａに係止される。したがって、係合ボタン５０７により、包丁収容部５Ａの収納部本体２Ａに対する上方への移動が規制される。この構成により、包丁２００が包丁ロック機構によりロックされている状態で、包丁２００が上方に引っ張られた場合など、包丁２００が包丁収容部５Ａに下方から接触しても、包丁収容部５Ａが上方に移動することを防いで、包丁収容部５Ａが収納部本体２Ａ内に保持される。
【００６２】
図２及び図１０に示すように、収納部本体２Ａの奥側の長辺側面２３２Ａと、底部材３Ａの傾斜面４１Ａと、包丁収容部５Ａとで囲まれたスペースが俎板収容部４００となる。俎板収容部４００は幅方向に細長いスペースであり、底部３Ａが傾斜面４１Ａで構成されている。そのため、俎板収容部４００に平板形状の俎板２０１を挿入すると、収納部本体２Ａの奥側の長辺側面２３２Ａと傾斜面４１Ａとの境界部分の最も高さが低い位置に俎板２０１の端部が誘導され、俎板２０１が傾斜して収納された状態が保持される。この結果、抽斗１０２が奥行方向に出し入れされても、俎板２０１が傾斜した状態が保持されやすい。したがって、抽斗１０２の移動時も俎板２０１が俎板収容部４００内で移動することを防ぐことができる。
【００６３】
例えば、特開２０１０−２３３８４７号公報に開示のキャビネットのように、抽斗１０２の前板１０３が、抽斗１０２の下端部を軸として手前側に回動する構成の場合でも、本実施形態の俎板収容部４００であれば、俎板２０１が俎板収容部４００で移動することを防ぎ、抽斗１０２の出し入れ時の静音性を高めることができる。
【００６４】
なお、俎板収容部４００内で俎板２０１のような平板形状の物品を安定した状態で保持する目的において、傾斜面４１Ａは、奥側から手前側に向かって下降するように傾斜する構成であってもよい。
【００６５】
次に、図８及び図９を参照して収納ボックス１Ａの着脱方法を説明する。使用者は、収納部本体２Ａを上方から前板１０３に近付け、まず、収納部本体２Ａの上係止部８を上レール部材６の上フック部６２に係止する。このとき、下係止部９は下フック部７２に未だ係止しておらず、下係止部９が下レール部材７の下フック部７２の奥行方向奥側に位置し、下係止片９２の傾斜面９２ａに当接する。次に、使用者は収納部本体２Ａの下部を奥側から手前側に押すと下フック部７２から下係止片９２の傾斜面９２ａに力が掛かり、平板片９１が下方に撓む。下フック部７２が傾斜面９２ａを乗り越えると、撓んだ平板片９１への力が解除されて平板片９１が元の水平位置に戻るとともに、下フック部７２が収納部本体２Ａの長辺側面２３１Ａと下係止片９２との間に挟まれる。この状態で、平板片９１に加えて、平板片９１の幅方向の両側に隣接配置されている支持板９３，９３によって長辺側面２３１Ａが支持される。
【００６６】
次に、底部材３Ａ及び包丁収容部５Ａを収納部本体２Ａに取り付ける。使用者は、前板１０３に係止されている収納部本体２Ａに対して、包丁収容部５Ａを把持しながら上方から近付け、上部の開口部２１Ａに底部材３Ａを挿入する。このとき、底部材３Ａの底面部４Ａの奥行方向の寸法は、収納部本体２Ａの上部の内寸より小さい。そのため、底部材３Ａを円滑に収納部本体２Ａ内に挿入できる。また、収納部本体２Ａの下部の内寸と底部材３Ａの寸法が近似しているため、底部材３Ａが収納部本体２Ａの下部の開口部２８Ａに配置されると、底部材３Ａが収納部本体２Ａの下部に安定的に配置される。
また、底面部４Ａの各突起部３１Ａが収納部本体２Ａの下部の係止孔２７Ａに挿通されて係止される。さらに、補助支持部３０の係止溝３０１内に、図６に示す包丁収容部本体５００の手前側の側壁の下端部５０６が挿入され、包丁収容部５Ａが収納部本体２Ａに係止される。この結果、底部材３Ａ及び包丁収容部５Ａが収納部本体２Ａ内でがたつくことを防ぎ、底部材３Ａ及び包丁収容部５Ａが安定した状態で係止される。
【００６７】
収納ボックス１Ａを清掃する場合等、底部材３Ａを収納部本体２Ａから取り外すとき、使用者は、幅方向両側の係合ボタン５０７を幅方向外側から押し込んで係合孔２４１と係合ボタン５０７との係合を解除しながら、包丁収容部５Ａを把持して上方に引き上げる。これにより、各突起部３１Ａが各係止孔２７Ａから外れ、簡単に底部材３Ａを収納部本体２Ａから取り外すことができる。包丁収容部５Ａを収納部本体２Ａから取り外す場合も、底部材３Ａの底面部４Ａの寸法より収納部本体２Ａの上部の開口寸法の方が大きいため、円滑に取り外すことができる。
【００６８】
収納部本体２Ａを前板１０３から取り外す場合、使用者は収納部本体２Ａを幅方向にスライド移動させる。スライド移動により収納部本体２Ａの受け部９が下レール部材７の凹部７３に到達すると、受け部９と下レール７との係止が解除される。収納部本体２Ａの下部と下レール７との係止が解除されると、収納部本体２Ａの上側の受け部８と上フック部６との係止も解除され、収納部本体２Ａを前板１０３から取り外すことができる。
【００６９】
本実施形態に係る収納ボックス１の取付構造によれば、前板１０３に設けられる上レール部材６及び下レール部材７に、収納部本体２Ａの上係止部８及び下係止部９をそれぞれ係止して収納部本体２Ａを前板１０３に係止する。このとき、前板１０３側の上レール部材６及び下レール部材７が外フック部からなるフック部６２，７２を有し、収納部本体２Ａの上係止部８及び下係止部９は、フック部６２，７２に対応して内受け部からなる受け部８，９を有するため、前板１０３に係止された収納部本体２Ａの上下方向の位置が固定される。したがって、前板１０３に係止された状態で収納部本体２Ａに上下方向の力が付与されても、収納部本体２Ａが前板１０３から外れることを防止できる。その結果、収納部本体２Ａを容易に前板１０３に係止可能でありながら、取付け状態を安定的に保持できる。
【００７０】
本実施形態に係る収納ボックス１の取付構造によれば、前板１０３に係止された収納ボックス１Ａの収納部本体２Ａの上下方向の位置が固定されるため、収納部本体２Ａに上方に開口し、包丁２００が収容可能な包丁収容部５Ａを備える場合に、特に好適である。具体的には、上方に開口する包丁収容部５Ａの場合、包丁収容部５Ａから包丁を出し入れする際に包丁が開口等に接触し、包丁収容部５Ａに上方向への力が掛かる場合がある。これに対し、この発明によれば、収納部本体２Ａが前板１０３に係止された取付け状態が安定的に保持でき、安全性を確保できる。また、収納部本体２Ａが前板１０３に固定されずに係止される構成であるため、前板１０３から収納部本体２Ａを容易に着脱可能である。そのため、清潔に保つことが望まれる包丁収容部を容易に清掃できる。
【００７１】
本実施形態に係る収納ボックス１の取付構造によれば、凹部７３が下レール部材７に、設けられているため、上下方向の移動が規制された状態で係止された収納部本体２Ａのフック部６２，７２と受け部８，９との係止を容易に解除できる。したがって、ネジ等の固定具を用いることなく収納部本体２Ａが安定的に係止され、且つ、前板１０３から収納部本体２Ａを容易に取り外すことができる。
【００７２】
本実施形態に係る収納ボックス１の取付構造によれば、上レール部材６及び下レール部材７が長尺なレール部材であるため、収納部本体２Ａを取付可能な範囲を広く確保できる。したがって、収納部本体２Ａを上レール部材６に係止する際、係止位置の微調整を行うことなく容易に係止できる。また、収納部本体２Ａの取付位置をレール部材６，７上の任意の位置に設定可能であり、用途に応じて収納部本体２Ａの前板１０３への取付位置を設定できる。さらに、下レール部材７の少なくとも一ヶ所に解除部が設けられているため、前板１０３に係止された収納部本体２Ａをレール部材６，７に沿ってスライドさせることによりフック部６２，７２と受け部９との係止を解除できる。その結果、使用者が難しい操作を行うことなく、収納部本体２Ａを前板１０３に着脱できる。
【００７３】
本実施形態に係る収納ボックス１の取付構造によれば、受け部９に弾性変形可能な平板片９１及び下係止片９２を有するため、収納部本体２Ａを係止させる際、収納部本体２Ａの受け部９を下フック部７２に向かって正面から押し込むと、平板片９１が弾性変形して下フック部７２と受け部９とを容易に係止できる。したがって、使用者が難しい操作を行うことなく、収納部本体２Ａを前板１０３に容易に係止できる。
【００７４】
本実施形態に係る収納ボックス１の取付構造によれば、収納部本体２Ａを容易に前板１０３に係止可能でありながら、取付け状態を安定的に保持可能なキッチンキャビネット１００を提供できる。したがって、収納ボックス１Ａの使用時は前板１０３に安定的に保持され、且つ、容易に取り外し可能であり、収納ボックス１Ａの清掃が容易となるキッチンキャビネット１００を提供できる。
【００７５】
本実施形態では、上被係止部及び下被係止部として、長尺なレール部材６，７を用いた例を示したが、上被係止部及び下被係止部はこれに限定されない。例えば、本実施形態のレール部材６，７の幅方向の寸法が短い構成の上被係止部及び下被係止部を一組以上設ける構成であってもよい。このように、幅方向に短尺の上被係止部及び下被係止部を設ける場合、収納部本体２Ａを幅方向に移動させることで収納部本体２Ａの前板１０３への係止が解除可能であり、本実施形態の下レール部材７に設けた凹部７３は不要となる。
【００７６】
本実施形態では、平板片９１及び下係止片９２からなる係止爪を備える例を示したが、係止爪は必須の構成ではない。上被係止部及び下被係止部の両方に解除部を設けることにより、係止爪を設けずとも、収納部本体２Ａを幅方向に移動させることで収納部本体２Ａの前板１０３への係止が解除可能である。
【００７７】
本実施形態では、包丁収容部５Ａに包丁ロック機構を備える例を示したが、包丁ロック機構は必須の構成ではない。
【００７８】
本実施形態では、包丁収容部５Ａにパン切用ナイフ収納部５０２及び長物収納部５１０を備える例を示したが、包丁収容部５Ａの構成はこれに限定されない。
【００７９】
本実施形態では、収納ボックス１Ａ内に包丁収容部５Ａを設ける構成としたが、包丁収容部５Ａは必須の構成ではなく、収納ボックス１Ａのみ、あるいは収納ボックス１Ａ内に間仕切壁等を設ける構成であってもよい。
【００８０】
本実施形態では、突起部３１Ａを底部材３Ａに備え、係止孔２７Ａを収納部本体２Ａに備える例を示したが、底部材と収納部本体とのいずれか一方に突起部を設け、他方に係止孔を設ける構成であればよい。したがって、収納部本体２Ａの開口縁部２６Ａに突起部を設け、底部材３Ａの底面部４Ａに係止孔を設ける構成であってもよい。
【００８１】
本実施形態では、収納部としての抽斗１０２の前板１０３に収納ボックス１を設ける例を示したが、収納部は、これに限定されず収納棚の前扉に収納ボックス１を設けてもよい。
【００８２】
本実施形態に係る収納ボックス１Ａの取付構造によれば、収納部本体２Ａの長辺側面と鋭角または鈍角を成す傾斜面４１Ａが底部に設けられるため、例えば、俎板等の平板状の物品を起立状態で収容する場合に、平板状の物品の下端部が傾斜面４１Ａに沿って底面部４Ａの下部に誘導される。その結果、平板状の物品が傾斜面４１Ａにより傾斜した状態が保持され、収納ボックス１Ａ内で安定して収容される。
【００８３】
以上、本発明の実施形態について図面を参照して詳述したが、具体的な構成はこの実施形態に限られるものではなく、本発明の要旨を逸脱しない範囲の設計変更等も含まれる。
また、上述の実施形態及び各変形例において示した構成要素は適宜に組み合わせて構成することが可能である。
【符号の説明】
【００８４】
１，１Ａ  収納ボックス
２Ａ  収納部本体
３Ａ  底部材
４Ａ  底面部
５Ａ  包丁収容部
６  上レール部材（上被係止部、レール部材）
７  下レール部材（下被係止部、レール部材）
８  上係止部（内受け部、受け部）
９  下係止部（内受け部、受け部）
６２  上フック部（フック部）
７２  下フック部（フック部）
７３  凹部（解除部）
９１  平板片（係止爪）
９２  下係止片（係止爪）
１００  キッチンキャビネット
１０２  抽斗（収納部）
１０３  前板（板材）
２３１Ａ，２３２Ａ  長辺側面
ＦＯ  外フック部
ＦＩ  内フック部
【図１】
2019115600.tif 000003
【図２】
2019115600.tif 000004
【図３】
2019115600.tif 000005
【図４】
2019115600.tif 000006
【図５】
2019115600.tif 000007
【図６】
2019115600.tif 000008
【図７】
2019115600.tif 000009
【図８】
2019115600.tif 000010
【図９】
2019115600.tif 000011
【図１０】
2019115600.tif 000012
【図１１】
2019115600.tif 000013